(57)【要約】【課題】  光ネットワークの回線監視を精度よくインサービスかつ低コストで行う。【解決手段】  受信する光信号の受光電力を測定し、接続される光ネットワークの異常判定を行う光受信装置において、受光電力を一定時間ごとに測定する受光電力測定手段と、受光電力測定手段で一定時間ごとに測定された受光電力を入力し、各受光電力と閾値との比較により所定回数連続して異常を検出したとき、または各受光電力と閾値との比較回数に対して規定回数異常を検出したときに、異常と判定して異常判定信号を出力する受光電力比較判定手段とを備える。【選択図】        図１
2009296336.tif 000002
【特許請求の範囲】
【請求項１】
受信する光信号の受光電力を測定し、接続される光ネットワークの異常判定を行う光受信装置において、
前記受光電力を一定時間ごとに測定する受光電力測定手段と、
前記受光電力測定手段で一定時間ごとに測定された受光電力を入力し、各受光電力と閾値との比較により所定回数連続して異常を検出したとき、または各受光電力と閾値との比較回数に対して規定回数異常を検出したときに、異常と判定して異常判定信号を出力する受光電力比較判定手段と
を備えたことを特徴とする光受信装置。
【請求項２】
請求項１に記載の光受信装置において、
前記受光電力測定手段で一定時間ごとに測定された受光電力および前記異常判定信号を時系列で記憶する記憶手段を備えた
ことを特徴とする光受信装置。
【請求項３】
請求項１または請求項２に記載の光受信装置において、
制御信号として前記受光電力の情報または前記異常判定信号を外部の遠隔監視装置に送信する通信手段を備えた
ことを特徴とする光受信装置。
【請求項４】
請求項３に記載の光受信装置において、
前記通信手段は、前記遠隔制御装置から送信された制御信号を受信し、前記受光電力比較判定手段の閾値または異常判定条件を変更する機能を備えた
ことを特徴とする光受信装置。
【請求項５】
請求項３または請求項４に記載の遠隔監視装置であって、
請求項３または請求項４に記載の光受信装置と前記制御信号を送受信する通信手段と、
請求項３または請求項４に記載の光受信装置から送信された前記異常判定信号を受信し、前記光ネットワークにおける各光受信装置の接続状態と、前記異常判定信号を送信した光受信装置の接続状態から、前記光ネットワークの異常発生箇所を推定する異常発生箇所推定手段と
を備えたことを特徴とする遠隔監視装置。
【請求項６】
請求項３に記載の遠隔監視装置であって、
請求項３に記載の光受信装置と前記制御信号を送受信する通信手段と、
請求項３に記載の光受信装置から移設した前記受光電力比較判定手段と、
請求項３に記載の光受信装置から送信された前記受光電力の情報を受信し、前記受光電力比較判定手段で異常判定を行い、その異常判定信号と、前記光ネットワークにおける各光受信装置の接続状態と、前記異常判定信号を送信した光受信装置の接続状態から、前記光ネットワークの異常発生箇所を推定する異常発生箇所推定手段と
を備えたことを特徴とする遠隔監視装置。
【請求項７】
請求項５に記載の遠隔監視装置の遠隔制御プログラムにおいて、
前記光ネットワークは、少なくも１つの光送信装置と、請求項５に記載の複数の光受信装置が、少なくとも１段以上の光分岐器を介して接続された構成であり、
前記異常発生箇所推定手段は、前記遠隔監視装置に接続される第１の光受信装置から送信された前記異常判定信号を入力したときに、
前記第１の光受信装置の上位に第１の光分岐器があるか否かを判定し、当該光分岐器がなければ前記光送信装置から第１の光受信装置のみに接続される経路の異常と推定する第１のステップと、
前記第１の光分岐器があれば、その配下の全ての光受信装置の異常判定状態を取得する第２のステップと、
前記第１の光分岐器の配下の光受信装置がすべて異常でなければ、前記第１の光受信装置と前記第１の光分岐器との間の経路の異常と推定する第３のステップと、
前記第１の光分岐器の配下の光受信装置がすべて異常であれば、さらに上位の第２の光分岐器があるか否かを判定し、当該光分岐器がなければ前記光送信装置から前記第１の光分岐器までの経路の異常と推定する第４のステップと、
前記第２の光分岐器があれば、その配下の全ての光受信装置の異常判定状態を取得する第５のステップと、
前記第２の光分岐器の配下の光受信装置がすべて異常でなければ、前記第１の光分岐器と前記第２の光分岐器との間の経路の異常と推定する第６のステップと、
前記第２の光分岐器の配下の光受信装置がすべて異常であれば、第２の光分岐器を１つ上位の光分岐器に読み替えて前記第４のステップから前記第６のステップを繰り返す
ことを特徴とする遠隔監視プログラム。
【請求項８】
請求項６に記載の遠隔監視装置の遠隔制御プログラムにおいて、
前記光ネットワークは、少なくも１つの光送信装置と、請求項６に記載の前記受光電力比較判定手段を前記遠隔監視装置に移設した複数の光受信装置が、少なくとも１段以上の光分岐器を介して接続された構成であり、
前記受光電力比較判定手段は、前記光受信装置から送信された受光電力の情報に基づいて異常判定を行い、異常と判定したときに前記異常判定信号を出力し、
前記異常発生箇所推定手段は、前記受光電力比較判定手段が第１の光受信装置の受光電力の情報に基づいて出力した前記異常判定信号を入力したときに、
前記第１の光受信装置の上位に第１の光分岐器があるか否かを判定し、当該光分岐器がなければ前記光送信装置から第１の光受信装置のみに接続される経路の異常と推定する第１のステップと、
前記第１の光分岐器があれば、その配下の全ての光受信装置の異常判定状態を取得する第２のステップと、
前記第１の光分岐器の配下の光受信装置がすべて異常でなければ、前記第１の光受信装置と前記第１の光分岐器との間の経路の異常と推定する第３のステップと、
前記第１の光分岐器の配下の光受信装置がすべて異常であれば、さらに上位の第２の光分岐器があるか否かを判定し、当該光分岐器がなければ前記光送信装置から前記第１の光分岐器までの経路の異常と推定する第４のステップと、
前記第２の光分岐器があれば、その配下の全ての光受信装置の異常判定状態を取得する第５のステップと、
前記第２の光分岐器の配下の光受信装置がすべて異常でなければ、前記第１の光分岐器と前記第２の光分岐器との間の経路の異常と推定する第６のステップと、
前記第２の光分岐器の配下の光受信装置がすべて異常であれば、第２の光分岐器を１つ上位の光分岐器に読み替えて前記第４のステップから前記第６のステップを繰り返す
ことを特徴とする遠隔監視プログラム。
【発明の詳細な説明】
【技術分野】
【０００１】
本発明は、ＰＯＮ(Passive Optical Network) 構成の光ネットワークの光回線監視に用いる光受信装置、遠隔監視装置および遠隔監視プログラムに関する。
【背景技術】
【０００２】
光ネットワークの急速な普及に伴い、ユーザに対して様々なサービスの提供が開始されているが、ユーザへ安定的なサービスの提供を目指し、局〜ユーザ宅間の光ネットワークの回線品質の監視が重要になっている。
【０００３】
サービスを提供する際に、ディジタルベースバンド信号を伝送する場合には、ビットエラーレートの計測等による回線監視はできるが、不具合が生じたときにその原因が装置故障によるものか光回線区間の障害によるものかを判別できない。また、周波数多重（ＦＤＭ）信号のようなアナログ信号を伝送する場合には、光受信装置の受光電力を計測するしか回線監視を行う手段がなかった。
【０００４】
図１２は、ＰＯＮ構成の光ネットワークの構成例を示す。
図において、光ネットワークは、局装置１１に１以上の光送信装置１２−１，１２−２があり、光送信装置１２から送信された各波長の光信号を光波長多重・分離器１３で波長多重し、光分岐器１４および光回線１５を介して、ユーザ宅に配置された複数の光受信装置１６へ分配する構成である。光受信装置１６では、設計された適正範囲の受光電力があれば、光信号を正常に受光処理してデータを受信する。ここで、光受信装置１６の受光電力値を測定するには、光受信装置１６を設置している場所に作業者が赴き、光受信装置１６の代わりに光電力測定器を光回線に接続していた。
【０００５】
また、図１３に示す光受信装置１６は、受光素子１７で検出される受光電力を受光電力判定回路１８で検出し、さらにその受光電力が閾値を超えるか否かを判定し、回線監視を行う構成である。ただし、回線異常を検知する条件は、受光電力判定回路１８にあらかじめ設定される閾値で決まるので、一律な回線監視ができるのみであった。例えば、ネットワークの状態はいろいろ変化し、正常な状態であっても、実際の運用上では回線切替の際に発生する光信号の瞬断や揺らぎ（受光電力レベルでの瞬間的な変動）は避けられない。このような変動は、本来は正常状態として認識されるべきであるが、図１３に示す受光電力判定回路１８を搭載した光受信装置１６では一律に異常状態として検知することになる。
【０００６】
また、図１２に示す光ネットワークにおいて、局装置１１とユーザ宅内の光受信装置１６との間の異常箇所を特定する場合、作業者が光受信装置１６側から局装置１１側に順に、光受信装置１６や光分岐器１４を光回線から一旦切り離し、代わりに光電力測定器を接続して受光電力を測定する必要があった。その間、ユーザに対するサービス提供は停止する。
【特許文献１】特開２０００−３１５９６９号公報
【特許文献２】特開２００３−２９８５４０号公報
【特許文献３】特開２００１−１３６１３３号公報
【発明の開示】
【発明が解決しようとする課題】
【０００７】
従来、光ネットワークの回線監視を行う場合、次のような問題点があった。
(1) 光電力測定器で光回線の状態を測定する際に、光受信装置を光回線から切り離す必要があり、インサービスでの回線監視ができなかった。
(2) 従来の受光電力判定回路を搭載した光受信装置では、検出した受光電力を単純に閾値と比較して正常か異常かを判断する構成のため、光信号の瞬断に対しても異常と誤検知する可能性があり、柔軟に対応することができなかった。
【０００８】
(3) 回線開通時から定期的に光受信装置の受光電力測定による回線監視が困難であり、回線の異常発生の予兆を把握することができなかった。
(4) 光受信装置の受光電力測定時に作業者による作業が必要になり、コストが大きくなっていた。
(5) １段以上で分岐しているＰＯＮ構成の光ネットワークでは、回線異常箇所を判別するまでに時間がかかるとともに、分岐段以下の広範囲なサービス停止が発生することがあった。
【０００９】
本発明は、光ネットワークの回線監視を精度よくインサービスかつ低コストで行うことができる光受信装置、遠隔監視装置および遠隔監視プログラムを提供することを目的とする。
【課題を解決するための手段】
【００１０】
第１の発明は、受信する光信号の受光電力を測定し、接続される光ネットワークの異常判定を行う光受信装置において、受光電力を一定時間ごとに測定する受光電力測定手段と、受光電力測定手段で一定時間ごとに測定された受光電力を入力し、各受光電力と閾値との比較により所定回数連続して異常を検出したとき、または各受光電力と閾値との比較回数に対して規定回数異常を検出したときに、異常と判定して異常判定信号を出力する受光電力比較判定手段とを備える。
【００１１】
第１の発明の光受信装置において、受光電力測定手段で一定時間ごとに測定された受光電力および異常判定信号を時系列で記憶する記憶手段を備える。さらに、制御信号として受光電力の情報または異常判定信号を外部の遠隔監視装置に送信する通信手段を備える。また、通信手段は、遠隔制御装置から送信された制御信号を受信し、受光電力比較判定手段の閾値または異常判定条件を変更する機能を備える。
【００１２】
第２の発明は、前記の遠隔監視装置であって、光受信装置と制御信号を送受信する通信手段と、光受信装置から送信された異常判定信号を受信し、光ネットワークにおける各光受信装置の接続状態と、異常判定信号を送信した光受信装置の接続状態から、光ネットワークの異常発生箇所を推定する異常発生箇所推定手段とを備える。
【００１３】
第３の発明は、前記の遠隔監視装置であって、光受信装置と制御信号を送受信する通信手段と、光受信装置から移設した受光電力比較判定手段と、光受信装置から送信された受光電力の情報を受信し、受光電力比較判定手段で異常判定を行い、その異常判定信号と、光ネットワークにおける各光受信装置の接続状態と、異常判定信号を送信した光受信装置の接続状態から、光ネットワークの異常発生箇所を推定する異常発生箇所推定手段とを備える。
【００１４】
第４の発明は、第２の発明の遠隔監視装置における遠隔監視プログラムにおいて、光ネットワークは、少なくも１つの光送信装置と、請求項５に記載の複数の光受信装置が、少なくとも１段以上の光分岐器を介して接続された構成であり、異常発生箇所推定手段は、遠隔監視装置に接続される第１の光受信装置から送信された異常判定信号を入力したときに、第１の光受信装置の上位に第１の光分岐器があるか否かを判定し、当該光分岐器がなければ光送信装置から第１の光受信装置のみに接続される経路の異常と推定する第１のステップと、第１の光分岐器があれば、その配下の全ての光受信装置の異常判定状態を取得する第２のステップと、第１の光分岐器の配下の光受信装置がすべて異常でなければ、第１の光受信装置と第１の光分岐器との間の経路の異常と推定する第３のステップと、第１の光分岐器の配下の光受信装置がすべて異常であれば、さらに上位の第２の光分岐器があるか否かを判定し、当該光分岐器がなければ光送信装置から第１の光分岐器までの経路の異常と推定する第４のステップと、第２の光分岐器があれば、その配下の全ての光受信装置の異常判定状態を取得する第５のステップと、第２の光分岐器の配下の光受信装置がすべて異常でなければ、第１の光分岐器と第２の光分岐器との間の経路の異常と推定する第６のステップと、第２の光分岐器の配下の光受信装置がすべて異常であれば、第２の光分岐器を１つ上位の光分岐器に読み替えて第４のステップから第６のステップを繰り返す。
【００１５】
第５の発明は、第３の発明の遠隔監視装置における遠隔監視プログラムにおいて、光ネットワークは、少なくも１つの光送信装置と、請求項６に記載の受光電力比較判定手段を遠隔監視装置に移設した複数の光受信装置が、少なくとも１段以上の光分岐器を介して接続された構成であり、受光電力比較判定手段は、光受信装置から送信された受光電力の情報に基づいて異常判定を行い、異常と判定したときに異常判定信号を出力し、異常発生箇所推定手段は、受光電力比較判定手段が第１の光受信装置の受光電力の情報に基づいて出力した異常判定信号を入力したときに、第１の光受信装置の上位に第１の光分岐器があるか否かを判定し、当該光分岐器がなければ光送信装置から第１の光受信装置のみに接続される経路の異常と推定する第１のステップと、第１の光分岐器があれば、その配下の全ての光受信装置の異常判定状態を取得する第２のステップと、第１の光分岐器の配下の光受信装置がすべて異常でなければ、第１の光受信装置と第１の光分岐器との間の経路の異常と推定する第３のステップと、第１の光分岐器の配下の光受信装置がすべて異常であれば、さらに上位の第２の光分岐器があるか否かを判定し、当該光分岐器がなければ光送信装置から第１の光分岐器までの経路の異常と推定する第４のステップと、第２の光分岐器があれば、その配下の全ての光受信装置の異常判定状態を取得する第５のステップと、第２の光分岐器の配下の光受信装置がすべて異常でなければ、第１の光分岐器と第２の光分岐器との間の経路の異常と推定する第６のステップと、第２の光分岐器の配下の光受信装置がすべて異常であれば、第２の光分岐器を１つ上位の光分岐器に読み替えて第４のステップから第６のステップを繰り返す。
【発明の効果】
【００１６】
本発明は、光受信装置の受光電力からインサービスで光ネットワークの回線状態を判断することができる。また、受光電力の経時変化を監視することも可能となり、事前に異常発生の予見が可能となる。さらに、光受信装置に通信機能を付加することにより、遠隔監視装置から光受信装置の受光電力をモニタすることができ、光ネットワークの監視作業を容易に行うことができる。
【００１７】
また、本発明は、遠隔監視装置でＰＯＮ構成の光ネットワークに接続される全ての光受信装置の受光電力をモニタすることにより、異常発生箇所を容易に特定することができる。
【発明を実施するための最良の形態】
【００１８】
（光受信装置の第１の実施形態）
図１は、本発明の光受信装置の第１の実施形態を示す。
図において、本実施形態の光受信装置は、受光素子１７で検出される受光電力を受光電力測定回路２１で測定し、測定した受光電力を受光電力比較判定回路２２に入力する。受光電力比較判定回路２２は、一定時間ごとに受光電力測定回路２１で測定した受光電力と閾値とを比較し、受光電力が閾値を下回るまたは上回るときに異常状態として検出する。ただし、一度の異常検出では光回線の異常とせず、異常検出を連続して規定回数検出したとき、あるいは受光電力比較判定動作を所定回数行ったときに異常検出が規定回数あったときに、初めて光回線の異常として判定し、対応する異常判定信号を出力する。
【００１９】
なお、受光電力の比較に用いる閾値は、例えば受光電力比較判定回路２２が回線開通時の受光電力値に基づいて適宜設定する構成としてもよい。
【００２０】
また、受光電力測定回路２１は、例えば受光素子１７で光信号から変換された電気信号の直流電流成分を測定し、受光電力に換算する構成でもよい。光電流Ｉと受光電力Ｐとの関係は、プランク定数ｈ、光信号周波数ν、電子電荷ｑ、電子効率ηとしたときに、
Ｐ＝（ｈν／ｑ)・(Ｉ／η）
となる。
【００２１】
図２は、本発明の光受信装置の第１の実施形態の応用例を示す。
図において、図１２に示すように、複数の光送信装置１２から送信された光信号を波長多重した波長多重光信号が光受信装置に入力する場合には、光波長分離器２３で各波長の光信号に分波した後に、それぞれ対応する受信素子１７で受光し、それぞれ図１に示す構成および処理手順に従って異常判定処理が行われる。
【００２２】
図３は、受光電力比較判定回路２２の処理手順を示す。
図３(1) において、受光電力比較判定回路２２は異常検出回数ｂを初期化し（Ｓ１）、一定時間（例えば30ミリ秒）ごとに、受光電力測定回路２１で測定した受光電力を入力し（Ｓ２）、受光電力と閾値とを比較する（Ｓ３）。受光電力が閾値の範囲内にあって光回線が正常と判断される場合には、ステップＳ１に戻る。受光電力が閾値の範囲を超えて異常状態を検出した場合には異常検出回数ｂをカウントし（Ｓ４）、異常検出回数ｂと規定回数Ｂとを比較する（Ｓ５）。異常検出回数ｂが規定回数Ｂ未満であればステップＳ２に戻り、一定時間ごとに受光電力を入力して閾値との比較を継続する。一方、異常検出回数ｂが規定回数Ｂに達すれば、異常判定信号を出力する（Ｓ６）。これにより、異常検出が連続して規定回数Ｂに達したときに初めて光回線の異常として判定することができる。
【００２３】
図３(2) において、受光電力比較判定回路２２は受光電力測定回数ａおよび異常検出回数ｂを初期化し（Ｓ11）、一定時間（例えば30ミリ秒）ごとに、受光電力測定回路２１で測定した受光電力を入力するとともに受光電力測定回数ａをカウントし（Ｓ12）、受光電力と閾値とを比較する（Ｓ13）。受光電力が閾値の範囲内にあって光回線が正常と判断される場合には、ステップＳ12に戻る。受光電力が閾値の範囲を超えて異常状態を検出した場合には異常検出回数ｂをカウントし（Ｓ14）、受光電力測定回数ａと規定回数Ａとを比較する（Ｓ15）。受光電力測定回数ａが規定回数Ａ未満であればステップＳ12に戻り、一定時間ごとに受光電力を入力して閾値との比較を継続する。一方、受光電力測定回数ａが規定回数Ａに達すれば、ステップＳ14でカウントした異常検出回数ｂと規定回数Ｂ（例えばＢ＝Ａ／２）とを比較する（Ｓ16）。異常検出回数ｂが規定回数Ｂ未満であればステップＳ１に戻る。一方、異常検出回数ｂが規定回数Ｂに達すれば、異常判定信号を出力する（Ｓ17）。これにより、受光電力測定回数Ａごとに異常検出がＢ回以上あれば初めて光回線の異常として判定することができる。
【００２４】
（光受信装置の第２の実施形態）
図４は、本発明の光受信装置の第２の実施形態を示す。
図において、本実施形態の光受信装置を構成する受光素子１７、受光電力測定回路２１および受光電力比較判定回路２２は、第１の実施形態と同じものである。
【００２５】
本実施形態の特徴は、光受信装置に記憶媒体２４を備え、受光電力測定回路２１で測定される受光電力値、または受光電力比較判定回路２２が出力する異常判定信号を発生順に時間情報とともに記憶する。この記憶媒体２４に蓄積した情報を用いることにより、光回線状態の経時変化を把握することができる。
【００２６】
具体的には、受光電力の初期状態（回線開通時など）からの変化量が一定値を超えた場合に異常状態と判定できる。例えば、受光電力変化量の閾値を５dBとすると、受光電力値が初期状態の受光電力値から５dB下がった（または上がった）ときに異常状態と判定する。これにより、受光電力値が光受信装置の許容範囲内であったとても、回線に異常が発生したことを検知することができる。また、受光電力値が時系列で蓄積されるので、そのデータを用いて任意の時間軸（例えば１日単位、１ヶ月単位）における受光電力値の推移も容易に把握することができる。
【００２７】
（光受信装置の第３の実施形態）
図５は、本発明の光受信装置の第３の実施形態を示す。
図において、本実施形態の光受信装置を構成する受光素子１７、受光電力測定回路２１、受光電力比較判定回路２２および記憶媒体２４は、第２の実施形態と同じものである。
【００２８】
本実施形態の特徴は、光受信装置に通信機能部２５を備え、受光電力測定回路２１で測定される受光電力値、または受光電力比較判定回路２２が出力する異常判定信号、または記憶媒体２４に蓄積した監視情報を、定期的または設定条件に応じて遠隔監視装置３０に制御信号として送信する。光受信装置の通信機能部２５が遠隔監視装置３０へ制御信号を伝送するネットワークは、光送信装置のサービスを受けるための光ネットワーク４１を利用してもよいし（光信号の場合）、別の中継ネットワーク４２を利用してもよい（光信号または電気信号の場合）。また、遠隔監視装置３０から各ネットワークを介して光受信装置の通信機能部２５にアクセスし、通信機能部２５が各データを応答するようにしてもよい。これにより、光受信装置から離れて設置される遠隔監視装置３０で、光受信装置に接続される光回線の状態を把握することができる。
【００２９】
また、光受信装置に通信機能が付加されることにより、受光電力比較判定回路２２に設定する受光電力の閾値を遠隔監視装置３０から制御することも可能である。例えば、保守作業等に伴う一時的な光レベル変動が予想される場合に、当該光レベル変動を異常検出しないように設定する。また、光回線の交換等による損失量の変動があった場合に、それに合わせて異常検出する閾値を変更する。
【００３０】
（遠隔監視装置の第１の実施形態）
図６は、本発明の遠隔監視装置の第１の実施形態を示す。
ここでは、単一の光送信装置１２、単一の光分岐器１４を用いたＰＯＮ構成の光ネットワークにおいて、複数の光受信装置１６Ａ，１６Ｂ，１６Ｃに接続される光回線の状態を遠隔監視装置３０で収集する例を示す。各光受信装置から遠隔監視装置３０へ制御信号を伝送するネットワークは、光送信装置１２のサービスを受けるための光ネットワークを利用し、局装置１１の光波長多重・分離器１３で分離して遠隔監視装置３０へ送信する構成でもよいし、各光受信装置から別の中継ネットワーク（図中破線）を介する構成でもよい。なお、後者の場合には、局装置１１の光波長多重・分離器１３は不要である。
【００３１】
ここで、光受信装置１６Ａと光分岐器１４との間を回線αとし、光分岐器１４と光波長多重・分離器１３との間を回線βとし、光波長多重・分離器１３と光送信装置１２との間を回線γとする。
【００３２】
遠隔監視装置３０は、図６(2) に示すように、光受信装置制御信号送受信部３１、異常発生箇所推定部３２、監視ネットワークデータベース３３を備える。光受信装置制御信号送受信部３１は、監視対象の光受信装置１６が収集した監視情報を含む制御信号を送受信する機能を備える。監視ネットワークデータベース３３には、監視対象の光受信装置１６および光ネットワーク構成が登録されている。異常発生箇所推定部３２は、光受信装置１６から送信された制御信号と監視ネットワークデータベース３３の情報を照合し、異常発生箇所を推定する機能を備える。以下、具体的に説明する。
【００３３】
遠隔監視装置３０は、監視対象の光受信装置１６Ａ，１６Ｂ，１６Ｃのそれぞれの受光電力値を収集する。各受光電力値に応じて、例えば次のように異常箇所の推定が可能である。
【００３４】
(1) 光受信装置１６Ａの受光電力のみが異常な場合は、異常発生箇所として光受信装置１６Ａまたは回線αと推定される。
(2) 光受信装置１６Ａ，１６Ｂ，１６Ｃの全ての受光電力が異常な場合は、異常発生箇所として光送信装置１２、光波長多重・分離器１３、光分岐器１４、回線β、回線γのいずれかと推定される。ここでは、回線α単独の故障は除外される。
【００３５】
したがって、例えば光受信装置１６Ａで異常検出した場合、他の光受信装置１６Ｂ，１６Ｃの状態を取得することにより、異常箇所として(1) または(2) のいずれかの推定が可能になる。
【００３６】
（遠隔監視装置の第２の実施形態）
図７は、本発明の遠隔監視装置の第２の実施形態を示す。
ここでは、単一の光送信装置１２、複数の光分岐器１４−１〜１４−４を用いたＰＯＮ構成の光ネットワークにおいて、複数の光受信装置１６Ａ〜１６Ｉに接続される光回線の状態を遠隔監視装置３０で収集する例を示す。各光受信装置から遠隔監視装置３０へ情報を伝送するネットワークは、光送信装置１２のサービスを受けるための光ネットワークを利用し、局装置１１の光波長多重・分離器１３で分離して遠隔監視装置３０へ送信する構成でもよいし、各光受信装置から別の中継ネットワーク（図中破線）を介する構成でもよい。なお、後者の場合には、局装置１１の光波長多重・分離器１３は不要である。
【００３７】
ここで、光受信装置１６Ａと光分岐器１４−１との間を回線αとし、光分岐器１４−１と光分岐器１４−４との間を回線βとし、光分岐器１４−４と光波長多重・分離器１３との間を回線γとし、光波長多重・分離器１３と光送信装置１２との間を回線σとする。
【００３８】
遠隔監視装置３０は、監視対象の光受信装置１６Ａ〜１６Ｉのそれぞれの受光電力値を収集する。各受光電力値に応じて、例えば次のように異常箇所の推定が可能である。
(1) 光受信装置１６Ａの受光電力のみが異常な場合は、異常発生箇所として光受信装置１６Ａまたは回線αと推定される。
(2) 光受信装置１６Ａ，１６Ｂ，１６Ｃの受光電力が異常な場合は、異常発生箇所として光分岐器１４−１または回線βと推定される。ここでは、回線α単独の故障は除外される。
(3) 光受信装置１６Ａ〜１６Ｉのすべての受光電力が異常な場合は、異常発生箇所として光送信装置１２、光波長多重・分離器１３、光分岐器１４−４、回線σ、回線γのいずれかと推定される。ここでは、回線α，βそれぞれ単独の故障は除外される。
【００３９】
（遠隔監視装置の第３の実施形態）
図８は、本発明の遠隔監視装置の第３の実施形態を示す。
ここでは、複数の光送信装置１２−１，１２−２、複数の光分岐器１４−１〜１４−４を用いたＰＯＮ構成の光ネットワークにおいて、複数の光受信装置１６Ａ〜１６Ｉに接続される光回線の状態を遠隔監視装置３０で収集する例を示す。各光受信装置から遠隔監視装置３０へ情報を伝送するネットワークは、光送信装置１２のサービスを受けるための光ネットワークを利用し、局装置１１の光波長多重・分離器１３で分離して遠隔監視装置３０へ送信する構成でもよいし、各光受信装置から別の中継ネットワーク（図中破線）を介する構成でもよい。
【００４０】
ここで、光受信装置１６Ａと光分岐器１４−１との間を回線αとし、光分岐器１４−１と光分岐器１４−４との間を回線βとし、光分岐器１４−４と光波長多重・分離器１３との間を回線γとし、光波長多重・分離器１３と光送信装置１２−１との間を回線σ、光波長多重・分離器１３と光送信装置１２−２との間を回線ωとする。
【００４１】
また、各光受信装置は、図２に示す構成により、光送信装置１２−１，１２−２の各光信号をそれぞれ受信することが可能であり、光送信装置ごとに受光電力監視が可能である。図８では、光送信装置１２−１の光信号を受信する光受信装置の右上に印を記載し、光送信装置１２−２の光信号を受信する光受信装置の右下に印を記載して区別する。
【００４２】
遠隔監視装置３０は、監視対象の光受信装置１６Ａ〜１６Ｉのそれぞれの受光電力値を収集する。各受光電力値に応じて、例えば次のように異常箇所の推定が可能である。
(1) 光送信装置１２−１の光信号を受信する設定になっている光受信装置の受光電力のみが異常な場合は、異常発生箇所として光送信装置１２−１または回線σと推定される。
(2) 光送信装置１２−２の光信号を受信する設定になっている光受信装置の受光電力のみが異常な場合は、異常発生箇所として光送信装置１２−２または回線ωと推定される。
【００４３】
遠隔監視装置３０の構成は、図６(2) に示すように、光受信装置制御信号送受信部３１、異常発生箇所推定部３２、監視ネットワークデータベース３３を備える。ここで、本実施形態において、監視ネットワークデータベース３３に登録される監視対象の光受信装置１６および光ネットワーク構成の例を図１１に示す。
【００４４】
（遠隔監視装置の第４の実施形態）
さらに、図６〜図８に示すネットワーク構成において、すべての光受信装置の受光電力が設計された正常な範囲であるにも関わらず、サービス停止などの異常が発生した場合には、光送信装置１２の上位に接続される上位装置、または上位装置との間の回線に異常発生と推定することができる。
【００４５】
（異常発生箇所推定部３２の処理手順）
図９は、遠隔監視装置の第１〜第４の実施形態の異常発生箇所推定部３２の処理手順を示す。ここでは、図８に示す光ネットワークにさらに上位装置を加えた構成を想定して説明する。
【００４６】
図において、光受信装置（１６Ａ）から異常判定信号を受信すると（Ｓ21）、光送信装置が複数か否かを判定する（Ｓ22）。ここで、光送信装置が複数の場合には、１つの光送信装置（１２−１）に対応する光受信装置（１６Ａ，１６Ｃ，１６Ｄ，１６Ｅ，１６Ｇ，１６Ｈ）を対象とする（Ｓ23）。次に、光受信装置（１６Ａ）の上位に光分岐器があるか否かを判定し（Ｓ24）、上位の光分岐器がなければ、光受信装置（１６Ａ）、上位装置〜光受信装置間の回線（σ，γ，β，α）、光送信装置（１２−１）のいずれかに異常があるものと推定する（Ｓ25）。
【００４７】
一方、当該光受信装置の上位に光分岐器があれば、当該光分岐器（１４−１）配下の全光受信装置（１６Ｃ）の異常判定状態を取得し（Ｓ26）、全光受信装置が異常であるか否かを判定する（Ｓ27）。ここで、全光受信装置が揃って異常でなければ、異常判定信号を送信した光受信装置（１６Ａ）、または光送信装置〜光受信装置間の回線（α）に異常があるものと推定する（Ｓ28）。全光受信装置が異常であれば、さらに上位に光分岐器があるか否かを判定し（Ｓ29）、上位の光分岐器がなければ、光送信装置（１２−１）、光送信装置〜光分岐器間の回線（σ，γ，β）のいずれかに異常があるものと推定する（Ｓ30）。
【００４８】
一方、さらに上位に光分岐器があれば、当該光分岐器（１４−４）配下の全光受信装置の状態を取得し（Ｓ31）、全光受信装置が異常であるか否かを判定する（Ｓ32）。ここで、全光受信装置が揃って異常でなければ、当該光分岐器間の回線（β）に異常があるものと推定する（Ｓ33）。全光受信装置が異常であれば、ステップＳ29に戻ってさらに上位に光分岐器があるか否かを判定以降を繰り返す。
【００４９】
以上の処理手順により、図６〜図８に示すネットワーク構成において、例示したような異常箇所の推定を行うことができる。なお、異常発生箇所推定部３２の機能は、コンピュータとプログラムによっても実現でき、当該プログラムを記録媒体に記録することも、ネットワークを通して提供することも可能である。
【００５０】
（遠隔監視装置の第５の実施形態）
図１〜図５に示す光受信装置は、光受信装置における受光電力について異常か否かを判定する受光電力比較判定回路２２を備え、それに対応する遠隔監視装置３０は、図６(2) に示す構成のように、受光電力比較判定回路２２が出力する異常判定信号を入力し、異常判定箇所を推定する構成になっている。
【００５１】
本実施形態では、受光電力比較判定回路２２を光受信装置ではなく遠隔監視装置３０に備える構成に対応する。したがって、本実施形態の遠隔監視装置３０は、図１０に示すように、図６(2) に示す光受信装置制御信号送受信部３１、異常発生箇所推定部３２、監視ネットワークデータベース３３に加えて受光電力比較判定回路２２を備える。光受信装置制御信号送受信部３１は、光受信装置から制御信号として一定周期ごとに入力する受光電力値を受光電力比較判定回路２２で処理する。受光電力比較判定回路２２は、図３(1),(2) に示す処理手順を実行し、各光受信装置ごとに異常があれば異常判定信号を異常発生箇所推定部３２へ出力する。異常発生箇所推定部３２は、遠隔監視装置３０内の受光電力比較判定回路２２から出力される異常判定信号に基づき、図９に示す処理手順に従って異常発生箇所を推定することができる。
【図面の簡単な説明】
【００５２】
【図１】本発明の光受信装置の第１の実施形態を示す図。
【図２】本発明の光受信装置の第１の実施形態の応用例を示す図。
【図３】受光電力比較判定回路２２の処理手順を示すフローチャート。
【図４】本発明の光受信装置の第２の実施形態を示す図。
【図５】本発明の光受信装置の第３の実施形態を示す図。
【図６】本発明の遠隔監視装置の第１の実施形態を示す図。
【図７】本発明の遠隔監視装置の第２の実施形態を示す図。
【図８】本発明の遠隔監視装置の第３の実施形態を示す図。
【図９】異常発生箇所推定部３２の処理手順を示すフローチャート。
【図１０】本発明の遠隔監視装置の第５の実施形態を示す図。
【図１１】監視ネットワークデータベース３３の例を示す図。
【図１２】ＰＯＮ構成の光ネットワークの構成例を示す図。
【図１３】光受信装置１６の構成例を示す図。
【符号の説明】
【００５３】
１１  局装置
１２  光送信装置
１３  光波長多重・分離器
１４  光分岐器
１５  光回線
１６  光受信装置
１７  受光素子
１８  受光電力判定回路
２１  受光電力測定回路
２２  受光電力比較判定回路
２３  光波長分離器
２４  記憶媒体
２５  通信機能部
３０  遠隔監視装置
３１  光受光装置制御信号送受信部
３２  異常発生箇所推定部
３３  監視ネットワークデータベース
４１  光ネットワーク
４２  中継ネットワーク
【図１】
2009296336.tif 000003
【図２】
2009296336.tif 000004
【図３】
2009296336.tif 000005
【図４】
2009296336.tif 000006
【図５】
2009296336.tif 000007
【図６】
2009296336.tif 000008
【図７】
2009296336.tif 000009
【図８】
2009296336.tif 000010
【図９】
2009296336.tif 000011
【図１０】
2009296336.tif 000012
【図１１】
2009296336.tif 000013
【図１２】
2009296336.tif 000014
【図１３】
2009296336.tif 000015